(57)【特許請求の範囲】
【請求項１】
第１取付部が設けられた下ケースと、
前記第１取付部と対応した位置に第２取付部が設けられた上ケースと、
前記下ケース側の外周部の少なくとも一部と前記上ケース側の外周部内面の少なくとも一部を密着させることにより、前記下ケース及び前記上ケースによりスピーカを囲むスピーカボックスを形成するための密閉部と、前記第１取付部と第２取付部との間に配置された連結取付部とを有する連結部材と、
前記第１取付部、前記連結取付部及び前記第２取付部を相互に固定する固定部材と、
を備えた機器ケース。
【請求項２】
請求項１に記載の機器ケースにおいて、前記密閉部は、前記下ケースの外周部の少なくとも一部の上端部側と面する第１面部、及び前記上ケースの外周部内面側の少なくとも一部と面する第２面部を有する、機器ケース。
【請求項３】
請求項２に記載の機器ケースにおいて、前記連結部材は、前記下ケースの前記上端部側と前記密閉部の前記第１面部とが面している状態で、前記下ケースの前記上端部側の外面を前記上ケースの前記外周部内面側に押し付けるための連結押付部をさらに有する機器ケース。
【請求項４】
請求項２または３に記載の機器ケースにおいて、前記下ケース側には前記上端部を含む第１ボックス枠状部と、前記上ケース側には前記第１ボックス枠状部に対応する第２ボックス枠状部と、をさらに有し、前記第１ボックス枠状部及び前記第２ボックス枠状部により前記スピーカが囲まれている機器ケース。
【請求項５】
請求項４に記載の機器ケースにおいて、前記第１ボックス枠状部と前記第２ボックス枠状部との間に、これらの全周に亘ってパッキンが配置されている機器ケース。
【請求項６】
請求項４または５に記載の機器ケースにおいて、前記上ケース側の前記第２ボックス枠状部は、階段状に形成されたボックス増設部を含む機器ケース。
【請求項７】
請求項４〜請求項６のいずれかに記載の機器ケースにおいて、前記第１ボックス枠状部と前記第２ボックス枠状部とで囲われた内部に、ツイータ及びバスレフポートが設けられている機器ケース。
【請求項８】
請求項７に記載の機器ケースにおいて、前記上ケースの背面に開口部が設けられており、前記バスレフポートは、前記開口部に対応して取り付けられているポート取付部と、このポート取付部に一体に形成された筒状のポート部と、を備えている機器ケース。
【請求項９】
請求項８に記載の機器ケースにおいて、前記バスレフポートは、前記開口部と前記ポート取付部との間にポート緩衝部材が、前記開口部に対応する箇所を除いて設けられている機器ケース。
【請求項１０】
請求項８または９に記載の機器ケースにおいて、前記ポート取付部の下端部側に、前記下ケースの上端部側と当接するポート連結部が設けられている機器ケース。
【請求項１１】
請求項１〜請求項１０のいずれかに記載された機器ケースを備えている電子機器。
【請求項１２】
請求項１〜請求項１０のいずれかに記載された機器ケースと、
鍵盤と、
を備えている電子楽器。
【発明の詳細な説明】
【技術分野】
【０００１】
この発明は、電子楽器や音響機器などの電子機器に用いられる機器ケース、電子機器および電子楽器に関する。
【背景技術】
【０００２】
例えば、電子楽器の楽器ケースにおいては、特許文献１に記載されているように、上ケースと下ケースとを備え、上ケース内にスピーカの上部側を囲う上側ボックス枠状部が設けられ、下ケース内にスピーカの下部側を囲う下側ボックス枠状部が設けられ、これら上側ボックス枠状部と下側ボックス枠状部とによってスピーカボックス部を形成するように構成されたものが知られている。
【先行技術文献】
【特許文献】
【０００３】
【特許文献１】特開平０５−２４１５７４号公報
【０００４】
この場合、スピーカは、上ケース内における両側に位置した状態で、後部側に片寄った隅部に配置されている。このため、スピーカボックス部の上側ボックス枠状部は、スピーカが接近する上ケースの外周部と、上ケース内に設けられてスピーカの側部を囲う上仕切部とで構成されている。下側ボックス枠状部は、スピーカが接近する下ケースの外周部と、下ケース内に設けられてスピーカの側部を囲う下仕切部とで構成されている。
【０００５】
このような楽器ケースは、上ケースと下ケースとを重ね合わせた際に、上ケースの上側ボックス枠状部と下ケースの下側ボックス枠状部とが互いに対応して当接し、この状態で上ケースと下ケースとが相互に取り付けられることにより、スピーカボックス部が形成されるように構成されている。
【発明の概要】
【発明が解決しようとする課題】
【０００６】
しかしながら、このような楽器ケースでは、上ケースの外形と下ケースの外形とが異なった形状であると、上ケースと下ケースとを重ね合わせた際に、上ケースの外周部と下ケースの外周部とが対応しないため、上ケースの外周部と下ケースの外周部との間に隙間が生じ、スピーカを囲むスピーカボックス部を密閉することができないという問題がある。
【０００７】
この発明が解決しようとする課題は、共通して使用される下ケースに対して、それぞれ異なる形状を有する複数の上ケースのいずれも良好に連結する機器ケース、この機器ケースを備えた電子機器および電子楽器を提供することである。
【課題を解決するための手段】
【０００８】
この発明の一態様は、第１取付部が設けられた下ケースと、前記第１取付部と対応した位置に第２取付部が設けられた上ケースと、前記下ケース側の外周部の少なくとも一部と前記上ケース側の外周部内面の少なくとも一部を密着させることにより、前記下ケース及び前記上ケースによりスピーカを囲むスピーカボックスを形成するための密閉部と、前記第１取付部と第２取付部との間に配置された連結取付部とを有する連結部材と、前記第１取付部、前記連結取付部及び前記第２取付部を相互に固定する固定部材と、を備えた機器ケースである。
【発明の効果】
【０００９】
この発明によれば、共通して使用される下ケースに対して、それぞれ異なる形状を有する上ケースのいずれも良好に連結することができる。
【図面の簡単な説明】
【００１０】
【図１】この発明を電子鍵盤楽器に適用した一実施形態を示した正面図である。
【図２】図１に示された電子鍵盤楽器において、センタパネルを取り外した状態を示した正面図である。
【図３】図２に示された電子鍵盤楽器において、上ケースおよび鍵盤部を取り外した状態の下ケースを示した斜視図である。
【図４】図２に示された電子鍵盤楽器における左右の上ケースを示した斜視図である。
【図５】図４に示された上ケースを上下反転させて示した拡大斜視図である。
【図６】図５に示された上ケースにおいて、スピーカ、ツイータ、バスレフポート、および連結部材を取り外した状態を示した拡大斜視図である。
【図７】図５に示されたスピーカを示し、（ａ）は図５のＡ−Ａ矢視における要部の拡大断面図、（ｂ）はそのスピーカを示した拡大裏面図、（ｃ）は（ａ）に示されたスピーカ緩衝部材を示した拡大側面図である。
【図８】図５に示されたツイータを示し、（ａ）は図５のＢ−Ｂ矢視における要部の拡大断面図、（ｂ）はそのツイータ取付部材を示した拡大平面図、（ｃ）は（ａ）に示されたツイータ緩衝部材を示した拡大正面図である。
【図９】図５に示されたバスレフポートを示し、（ａ）はその拡大斜視図、（ｂ）は図２のＣ−Ｃ矢視における要部の拡大断面図である。
【図１０】図９に示されたバスレフポートを示し、（ａ）は図２のＤ−Ｄ矢視における要部の拡大断面図、（ｂ）はポート緩衝部材を示した要部の拡大背面図である。
【図１１】図５に示された連結部材を示し、（ａ）はその拡大斜視図、（ｂ）は（ａ）のＦ−Ｆ矢視における要部の拡大断面図である。
【図１２】（ａ）は図２に示された上ケースのＥ−Ｅ矢視における要部の拡大断面図、（ｂ）は図２に示された電子鍵盤楽器の側面図である。
【図１３】図２に示された電子鍵盤楽器のＧ−Ｇ矢視における要部の拡大断面図である。
【図１４】図５に示された連結部材の変形例を示し、（ａ）はその拡大斜視図、（ｂ）は（ａ）のＦ１−Ｆ１矢視における要部の拡大断面図、（ｃ）は、この連結部材を用いた上ケースのＥ１−Ｅ１矢視における要部の拡大断面図である。
【発明を実施するための形態】
【００１１】
以下、図１〜図１４を参照して、この発明を電子鍵盤楽器に適用した一実施形態について説明する。
この電子鍵盤楽器は、図１〜図３に示すように、楽器ケース１を備えている。この楽器ケース１は、下ケース２と上ケース３とセンタパネル４とを備え、これらの内部にスピーカボックス部１ａが形成されるように構成されている。
【００１２】
下ケース２は、図３に示すように、上側が開放された左右方向に長い箱状に形成されている。この下ケース２内の前側部には、図１および図２に示すように、鍵盤部５を搭載する鍵盤搭載部２ａが設けられている。鍵盤部５は、白鍵５ａおよび黒鍵５ｂが下ケース２の長手方向に沿って配列された状態で鍵盤シャーシ（図示せず）上に配置され、この鍵盤シャーシが鍵盤搭載部２ａに搭載されるように構成されている。
【００１３】
また、この下ケース２内の後側部における両側には、図３に示すように、スピーカボックス部１ａの下部側を形成する下側ボックス枠状部としての第１ボックス枠状部６がそれぞれ設けられている。この下ケース２内の後側部における中間部には、電池収納部７が設けられている。この電池収納部７は、複数の電池（図示せず）を収納する部分である。
【００１４】
この場合、第１ボックス枠状部６は、図３に示すように、下ケース２の上辺側と左右の両側部とに位置する外周部６ａおよび下側枠状リブとしての第１枠状リブ６ｂによって形成されている。第１枠状リブ６ｂは、鍵盤部５の境界部と電池収納部７の境界部とに連続して設けられている。この場合、下ケース２の外周部６ａの上端部と第１枠状リブ６ｂの上端部には、パッキン８（図１２参照）が全周に亘って設けられている。
【００１５】
上ケース３は、図２に点線で示すように、その外形が下ケース２の外形よりも少し大きく形成されている。この上ケース３は、図２〜図５に示すように、その内部にスピーカ１０、ツイータ１１、およびバスレフポート１２が設けられて、下ケース２の上部両側に配置されるように構成されている。すなわち、この上ケース３は、下ケース２の第１ボックス枠状部６と、鍵盤部５の両側部とに対応して下ケース２上に取り付けられるように構成されている。
【００１６】
この場合、上ケース３は、図２〜図５に示すように、スピーカ１０、ツイータ１１、およびバスレフポート１２が組み付けられるケース本体部１３と、このケース本体部１３から電池収納部７に向けて突出したボックス増設部１４と、鍵盤部５の両側部を覆うカバー部１５と、を備え、これらが合成樹脂によって一体に形成された構成になっている。
【００１７】
この上ケース３のケース本体部１３は、図４に示すように、その上面がカバー部１５の後端部から上ケース３の背面側に向けて高くなる傾斜面に形成されている。このケース本体部１３の上面には、カバーパネル３ａが設けられている。また、このケース本体部１３には、図５および図６に示すように、スピーカボックス部１ａの上部側を形成する第２ボックス枠状部９が第１ボックス枠状部６にほぼ対応して設けられ、その内部には、補強用のリブ３ｂが設けられている。
【００１８】
この第２ボックス枠状部９は、図５および図６に示すように、上辺側と左右方向の側部とに位置する外周部１３ａ、および第２枠状リブ１３ｂによって形成されている。第２枠状リブ１３ｂは、上ケース３のカバー部１５との境界部と電池収納部７の境界部とに連続して設けられ、下ケース２の第１枠状リブ６ｂに対応するように構成されている。
【００１９】
これにより、スピーカボックス部１ａは、下ケース２と上ケース３とが重ね合わされた際に、第１ボックス枠状部６と第２ボックス枠状部９とが上下に対応し、この第１ボックス枠状部６と第２ボックス枠状部９とで囲われることにより、楽器ケース１内に形成されるように構成されている。
【００２０】
また、上ケース３におけるケース本体部１３の上面には、図４および図６に示すように、スピーカ開口部１６とツイータ開口部１７とが設けられている。また、上ケース３の背面には、ポート開口部１８が設けられている。この場合、上ケース３の内面におけるスピーカ開口部１６の周縁部には、図６および図７（ａ）に示すように、スピーカ１０を取り付けるための複数のスピーカ取付ボス１６ａが設けられている。
【００２１】
また、上ケース３の内面におけるツイータ開口部１７の周縁部には、図６および図８（ａ）に示すように、ツイータ１１を取り付けるための複数のツイータ取付ボス１７ａが設けられている。また、上ケース３の背面におけるポート開口部１８の周縁部には、図６および図１０（ａ）に示すように、バスレフポート１２を取り付けるための複数のポート取付孔１８ａが設けられている。
【００２２】
この場合、スピーカ１０の四隅には、図７（ｂ）に示すように、取付孔１０ａが上ケース３のスピーカ取付ボス１６ａに対応して設けられている。このスピーカ１０の取付孔１０ａには、図７（ａ）および図７（ｃ）に示すように、リング状のスピーカ緩衝部材２０が取り付けられている。このスピーカ緩衝部材２０は、その中心にビス（図示せず）が挿入するビス挿入孔２０ｂが設けられ、外周面に装着溝２０ａが環状に設けられている。
【００２３】
これにより、スピーカ１０は、図７（ａ）〜図７（ｃ）に示すように、スピーカ緩衝部材２０を弾性変形させて取付孔１０ａに挿入させ、この挿入されたスピーカ緩衝部材２０の装着溝２０ａに取付孔１０ａの縁部を装着させて挟むことにより、スピーカ緩衝部材２０が取付孔１０ａに取り付けられるように構成されている。
【００２４】
また、このスピーカ１０は、図７（ａ）に示すように、その上面をスピーカ開口部１６に対応させて、取付孔１０ａに取り付けられたスピーカ緩衝部材２０のビス挿入孔２０ｂを上ケース３のスピーカ取付ボス１６ａに対応させ、この状態でビス（図示せず）をスピーカ緩衝部材２０のビス挿入孔２０ｂからスピーカ取付ボス１６ａに螺着させることにより、上ケース３の内面に取り付けられるように構成されている。
【００２５】
ツイータ１１は、図８（ａ）に示すように、ツイータ取付部材２１によって上ケース３の内面に取り付けられるように構成されている。すなわち、ツイータ取付部材２１は、ツイータ１１の下面に配置され、ツイータ１１の側面に沿って上ケース３の内面に向けて延び、この延びた両端部が折り曲げられて、上ケース３の内面に設けられたツイータ取付ボス１７ａに対応し、この状態で上ケース３のツイータ取付ボス１７ａにビス止めによって取り付けられるように構成されている。
【００２６】
この場合、ツイータ取付部材２１は、図８（ｂ）に示すように、複数のツイータ取付ボス１７ａにそれぞれ対応する箇所に取付孔２１ａが設けられ、この取付孔２１ａがツイータ緩衝部材２２を介してツイータ取付ボス１７ａに対応するように構成されている。ツイータ緩衝部材２２は、リング状に形成され、その外周に取付片２２ａが設けられ、この取付片２２ａが複数のツイータ取付ボス１７ａ間に配置され、この状態でツイータ１１の上面における外周部に配置されるように構成されている。
【００２７】
これにより、ツイータ１１は、図８（ａ）〜図８（ｃ）に示すように、ツイータ緩衝部材２２を上ケース３の内面におけるツイータ開口部１７の周縁部に配置し、かつツイータ１１をツイータ取付部材２１で保持し、このツイータ取付部材２１を上ケース３のツイータ取付ボス１７ａに対応させて、ツイータ緩衝部材２２をツイータ１１と上ケース３との間に挟み、この状態でビスがツイータ取付部材２１の取付孔２１ａを通してツイータ取付ボス１７ａに螺着することにより、上ケース３の内面に取り付けられるように構成されている。
【００２８】
バスレフポート１２は、図９（ａ）に示すように、ポート取付部２３とポート部２４とを備え、これらが合成樹脂で一体に形成されている。この場合、ポート部２４は、楕円形の筒状に形成され、ポート取付部２３の内面に一体に形成された状態で、外部に開放されるように構成されている。このポート部２４は、ポート取付部２３が上ケース３の背面に配置された際に、スピーカ１０とツイータ１１との間に配置されるように構成されている。
【００２９】
また、ポート取付部２３は、図６、図９および図１０（ａ）に示すように、上ケース３のポート開口部１８に対応する板部２３ａを備え、この板部２３ａが上ケース３の背面に内側からポート緩衝部材２５を介して配置され、上ケース３のポート取付孔１８ａにビス止めによって取り付けられるように構成されている。すなわち、ポート取付部２３の板部２３ａには、上ケース３のポート取付孔１８ａに対応する複数のポート取付ボス２３ｂが内面側に突出して設けられている。
【００３０】
この場合、ポート緩衝部材２５は、図１０（ａ）および図１０（ｂ）に示すように、ゴムなどの弾性シートであり、ポート取付部２３の外面に配置されるように構成されている。このポート緩衝部材２５には、楕円形状の開口部２５ａが上ケース３のポート開口部１８に対応して設けられている。また、このポート緩衝部材２５の開口部２５ａの上下部には、弾性部２５ｂが設けられている。
【００３１】
一方、上ケース３内の上面に対向するポート取付部２３の上端部（図９（ａ）では下端部）には、図６、図９および図１０（ａ）に示すように、ポート取付部２３を上ケース３のケース本体部１３の内面に固定するためのポート固定片２６が設けられている。このポート固定片２６には、ケース本体部１３内の上面に設けられた複数のポート取付ボス２７に対応する複数の切欠き部２６ａが設けられている。
【００３２】
これにより、ポート取付部２３は、図６、図９および図１０（ａ）に示すように、ケース本体部１３のポート取付ボス２７にポート固定片２６の切欠き部２６ａを対応させ、この切欠き部２６ａを通してビス（図示せず）をポート取付ボス２７に螺合させて、ポート固定片２６をポート取付ボス２７にビス止めすることにより、上ケース３のケース本体部１３に取り付けられるように構成されている。
【００３３】
また、下ケース２に対向するポート取付部２３の下端部（図９では上端部）には、図６、図９および図１０（ａ）に示すように、ポート連結部２８が設けられている。このポート連結部２８は、下ケース２の外周部６ａの上端部が当接するポート当接部２８ａと、下ケース２の外周部６ａの外面を上ケース３の外周部１３ａの内面に押し付けるポート押付リブ２８ｂと、を備えている。
【００３４】
この場合、ポート当接部２８ａは、図６、図９および図１０（ａ）に示すように、下ケース２と上ケース３とを重ね合わせた際に、下ケース２の外周部６ａの外面と上ケース３の外周部１３ａの内面との間に生じる隙間を塞いだ状態で、下ケース２の外周部６ａの上端部が当接するように構成されている。また、ポート押付リブ２８ｂは、下ケース２と上ケース３とを重ね合わせた際に、下ケース２の外周部６ａの外面を上ケース３の外周部１３ａの内面に押し付けるように構成されている。
【００３５】
これにより、ポート連結部２８は、図６、図９および図１０（ａ）に示すように、下ケース２と上ケース３とを重ね合わせた際に、下ケース２の外周部６ａの上端部がパッキン８を介してポート当接部２８ａに当接すると共に、ポート押付リブ２８ｂがパッキン８を介して下ケース２の外周部６ａの外面を上ケース３の外周部１３ａの内面に向けて押し付けるように構成されている。このため、このポート取付部２３のポート連結部２８は、後述するボックス連結部材３５とほぼ同じ機能を有するように構成されている。
【００３６】
ところで、上ケース３内の上面には、図５および図６に示すように、複数のスピーカボス部としての第２取付部３０、複数の増設ボス部３１、複数のカバーボス部３２が設けられている。これら複数の第２取付部３０の各先端部には、それぞれねじ穴３０ａが設けられている。また、複数の増設ボス部３１の各先端部には、それぞれねじ穴３１ａが設けられており、複数のカバーボス部３２各先端部には、それぞれねじ穴３２ａが設けられている。
【００３７】
一方、下ケース２内の底部には、図３に示すように、上ケース３の第２取付部３０、増設ボス部３１、およびカバーボス部３２にそれぞれ対応する複数の下側ボス部としての第１取付部３３が設けられている。これら複数の第１取付部３３それぞれは、筒状に形成され、その下部が下ケース２の下面に開放され、上端部にビス挿入孔３３ａが設けられた構成になっている。この第１取付部３３は、図１２に示すように、下ケース２の下側からビス３４が第１取付部３３の内部に挿入されて上端部のビス挿入孔３３ａから上方に突出すように構成されている。
【００３８】
これにより、上ケース３に設けられた複数の第２取付部３０、複数の増設ボス部３１、複数のカバーボス部３２は、図１２に示すように、上ケース３を下ケース２上に重ねわせて配置した際に、下ケース２に設けられた複数の第１取付部３３にそれぞれ対応し、この状態で下ケース２の下側から第１取付部３３の内部にビス３４が挿入され、この挿入されたビス３４が上ケース３の第２取付部３０、増設ボス部３１、およびカバーボス部３２の各ねじ穴３０ａ、３１ａ、３２ａに螺合されることにより、上ケース３を下ケース２上に取り付けるように構成されている。
【００３９】
この場合、下ケース２と上ケース３とは、図３および図５に示すように、その外形が異なる。このため、下ケース２の第１ボックス枠状部６と上ケース３の第２ボックス枠状部９とで囲われる領域をスピーカボックス部１ａとして形成するために、上ケース３の外周部１３ａ側に位置する複数の第２取付部３０と、これに対応する下ケース２の第１取付部３３との間には、ボックス連結部材３５が配置されている。
【００４０】
このボックス連結部材３５は、図５、図１１、図１２および図１３に示すように、下ケース２の外周部６ａと上ケース３の外周部１３ａとの間に配置され、下ケース２と上ケース３とを連結固定するためのものである。このボックス連結部材３５は、下ケース２の第１取付部３３と上ケース３の第２取付部３０との間に配置されて、下ケースの外周部６ａの上端がパッキン８を介して当接して、下ケース２の外周部６ａの外面を上ケース３の外周部１３ａの内面に向けて押し付けるように構成されている。
【００４１】
すなわち、このボックス連結部材３５は、図５、図１１、図１２および図１３に示すように、上ケース３内に配置される連結本体部３６と、下ケース２の外周部６ａの上端部がパッキン８を介して当接するように、下ケース２の外周部６ａと上ケース３の外周部内面との間の隙間を密閉するための密閉部３７と、下ケース２の外周部６ａの外面を上ケース３の外周部１３ａの内面に向けて押し付ける連結押付リブとしての連結押付部３８と、下ケース２の第１取付部３３と上ケース３の第２取付部３０との間に配置される連結取付ボスとしての連結取付部３９と、上ケース３の外周部１３ａの角部と下ケース２の外周部６ａの角部との間に配置されるコーナ部４０と、を備えている。
【００４２】
この密閉部３７は、図５、図１１、図１２および図１３に示すように、下ケース２の外周部の端部と面する第１面部３７ａと、下ケース２の外周部の端部と第１面部３７ａとが面している状態で、上ケース３の外周部内面と面する第２面部３７ｂとを有している。
【００４３】
連結本体部３６は、図５、図１１、図１２および図１３に示すように、上ケース３の第２ボックス枠状部９内に位置した状態で、ケース本体部１３の外周部１３ａの内面に沿って配置されるように構成されている。密閉部３７の第１面部３７ａは、下ケース２の外周部６ａにおける上端部に対応する状態で、連結本体部３６にこれに沿って設けられている。
【００４４】
連結押付部３８は、図５、図１１、図１２および図１３に示すように、連結本体部３６の所定箇所に設けられて、下ケース２の外周部６ａの上端部が密閉部３７の第１面部３７ａに当接する際に、下ケース２の外周部６ａの外面と共に、密閉部３７の第２面部３７ｂが、上ケース３の外周部１３ａの内面に向けて押し付けるように構成されている。連結取付部３９は、ほぼ角筒状に形成され、その下端部にビス挿入孔３９ａが上下に貫通して設けられた構成になっている。
【００４５】
この連結取付部３９は、図５、図１１および図１２に示すように、その上部に上ケース３の第２取付部３０の下端部が挿入し、下端面に下ケース２の第１取付部３３が当接し、この下端部のビス挿入孔３９ａに第２取付部３０のねじ穴３０ａが対応するように構成されている。
【００４６】
これにより、連結取付部３９は、図１１および図１２に示すように、その上部に上ケース３の第２取付部３０の下端部が挿入することにより、上ケース３に対してボックス連結部材３５を位置規制するように構成されている。また、この連結取付部３９は、その上部に上ケース３の第２取付部３０の下端部が挿入し、下端面に下ケース２の第１取付部３３が当接した状態で、ビス３４にっよって下ケース２と上ケース３との間にボックス連結部材３５を固定するように構成されている。
【００４７】
すなわち、この連結取付部３９は、図１１および図１２に示すように、その上部に上ケース３の第２取付部３０の下端部が挿入し、下端面に下ケース２の第１取付部３３が当接した状態で、下ケース２の下側から下ケース２の第１取付部３３内にビス３４を挿入させ、このビス３４の先端を連結取付部３９のビス挿入孔３９ａに挿入させて第２取付部３０のねじ穴３０ａに螺合させることにより、下ケース２と上ケース３との間にボックス連結部材３５を固定して、下ケース２と上ケース３とを連結して固定するように構成されている。
【００４８】
コーナ部４０は、図５および図１１に示すように、その外形部４０ａが上ケース３の第２ボックス枠状部９における上辺部と側部との交差する外周部１３ａの角部と同じ円弧状に形成され、内形部４０ｂが下ケース２の第１ボックス枠状部６における上辺部と側部との交差する外周部６ａの角部と同じ円弧状に形成された構成になっている。
【００４９】
これにより、コーナ部４０は、図５に示すように、ボックス連結部材３５が下ケース２と上ケース３との間に配置された際に、外形部４０ａが上ケース３の第２ボックス枠状部９における外周部１３ａの角部に密接して配置され、内形部４０ｂが下ケース２の第１ボックス枠状部６における外周部６ａの角部に密接して配置されるように構成されている。
【００５０】
また、このコーナ部４０は、図５に示すように、上ケース３の第２ボックス枠状部９における外周部１３ａの角部と、下ケース２の第１ボックス枠状部６における外周部６ａの角部との間に配置された際に、第２ボックス枠状部９の外周部１３ａの角部と、第１ボックス枠状部６の外周部６ａの角部との間の隙間を塞ぐように構成されている。
【００５１】
一方、上ケース３のボックス増設部１４は、図４に示すように、その上面が下ケース２の鍵盤部５側から下ケース２の背面側に向けて次第に段差が低くなる階段状に形成され、これにより強度が確保されるように構成されている。このボックス増設部１４の下面には、下ケース２の第１ボックス枠状部６における第１枠状リブ６ｂに対応する増設枠状リブ１４ａが設けられている。
【００５２】
これにより、ボックス増設部１４は、図２〜図５に示すように、上ケース３が下ケース２上に重ね合わされた際に、増設枠状リブ１４ａが下ケース２の第１ボックス枠状部６に設けられた第１枠状リブ６ｂにパッキン８を介して当接すると共に、ボックス増設部１４内の増設ボス部３１が下ケース２の第１取付部３３に対応し、この状態で下ケース２の第１取付部３３に増設ボス部３１がビス止めされるように構成されている。
【００５３】
また、上ケース３のカバー部１５は、図４〜図６に示すように、鍵盤部５の左右両側に位置する白鍵５ａおよび黒鍵５ｂの各後端部を覆う鍵盤カバー部１５ａと、鍵盤部５の両側部に位置する下ケース２の鍵盤搭載部２ａの両側部を覆う搭載カバー部１５ｂとを備えている。このカバー部１５は、上ケース３が下ケース２上に重ね合わされた際に、カバーボス部３２が下ケース２の第１取付部３３に対応し、この状態で下ケース２の第１取付部３３にカバーボス部３２がビス止めされるように構成されている。
【００５４】
センタパネル４は、図１および図２に示すように、上面パネル部４ａと背面パネル部４ｂとを備え、これらが合成樹脂で一体に形成されている。このセンタパネル４は、下ケース２の後部両側に配置された上ケース３におけるケース本体部１３の間に配置されて取り付けられることにより、下ケース２の電池収納部７および上ケース３のボックス増設部１４を覆うように構成されている。
【００５５】
次に、このような電子鍵盤楽器を組み立てる場合について説明する。
この場合には、予め、下ケース２の鍵盤搭載部２ａに鍵盤部５を搭載すると共に、下ケース２の第１ボックス枠状部６の上端部、つまり下ケース２の上辺側と左右の両側部とに位置する外周部６ａおよび第１枠状リブ６ｂの各上端部にパッキン８（図１２参照）をその全周に亘って取り付ける。また、上ケース３内にスピーカ１０、ツイータ１１、およびバスレフポート１２を取り付ける。
【００５６】
すなわち、スピーカ１０を上ケース３のケース本体部１３に取り付ける場合には、予め、スピーカ１０の四隅に設けられた取付孔１０ａにスピーカ緩衝部材２０を取り付ける。このときには、スピーカ緩衝部材２０を弾性変形させてスピーカ１０の取付孔１０ａに挿入させて、スピーカ緩衝部材２０の装着溝２０ａに取付孔１０ａの縁部を装着させて挟む。  
【００５７】
この状態で、スピーカ１０の上面を上ケース３のケース本体部１３の上面に設けられたスピーカ開口部１６に対応させて、取付孔１０ａに取り付けられたスピーカ緩衝部材２０のビス挿入孔２０ｂを上ケース３のスピーカ取付ボス１６ａに対応させる。この状態で、ビス（図示せず）をスピーカ緩衝部材２０のビス挿入孔２０ｂからスピーカ取付ボス１６ａに螺着させる。これにより、上ケース３の内面にスピーカ緩衝部材２０を介してスピーカ１０が取り付けられる。このため、スピーカ緩衝部材２０によってスピーカ１０とスピーカ開口部１６との間の密閉性が確保される。
【００５８】
また、ツイータ１１を上ケース３のケース本体部１３に取り付ける場合には、ツイータ緩衝部材２２を上ケース３のケース本体部１３に設けられたツイータ開口部１７の周縁部に配置し、この状態でツイータ１１をツイータ取付部材２１で保持し、このツイータ取付部材２１を上ケース３のツイータ取付ボス１７ａに対応させる。
【００５９】
この状態で、ツイータ緩衝部材２２をツイータ１１と上ケース３のケース本体部１３との間に挟み、ツイータ取付部材２１の取付孔２１ａをツイータ取付ボス１７ａに対応させる。そして、ツイータ取付部材２１の取付孔２１ａを通してビス（図示せず）をツイータ取付ボス１７ａに螺着する。これにより、上ケース３の内面にツイータ１１がツイータ緩衝部材２２を介して取り付けられる。このため、ツイータ緩衝部材２２によってツイータ１１とツイータ開口部１７との間の密閉性が確保される。
【００６０】
また、バスレフポート１２を上ケース３に取り付ける場合には、バスレフポート１２のポート取付部２３を上ケース３におけるケース本体部１３の背面に設けられたポート開口部１８に対応させて、ポート部２４をスピーカ１０とツイータ１１との間に配置する。このときには、ポート取付部２３とケース本体部１３の背面との間にポート緩衝部材２５を配置する。
【００６１】
この状態で、ポート取付部２３に設けられたポート取付ボス２３ｂを上ケース３のケース本体部１３に設けられたポート取付孔１８ａに対応させると共に、ポート取付部２３の上端部に設けられたポート固定片２６の切欠き部２６ａを上ケース３のケース本体部１３に設けられたポート取付ボス２７に対応させる。
【００６２】
そして、ケース本体部１３のポート取付孔１８ａからポート取付部２３のポート取付ボス２３ｂにビス（図示せず）を螺合させる。これにより、ポート取付部２３とケース本体部１３の背面との間にポート緩衝部材２５を挟んだ状態で、ポート取付部２３がケース本体部１３の背面に取り付けられる。
【００６３】
また、このときには、ポート固定片２６の切欠き部２６ａを通してビス（図示せず）をポート取付ボス２７に螺合させて、ポート固定片２６をポート取付ボス２７に固定する。これにより、バスレフポート１２が上ケース３のケース本体部１３にポート緩衝部材２５を介して取り付けられる。このため、ポート緩衝部材２５によってバスレフポート１２とポート開口部１８との間の密閉性が確保される。
【００６４】
そして、上ケース３のケース本体部１３にボックス連結部材３５を配置し、この状態で下ケース２に上ケース３を取り付ける。すなわち、上ケース３のケース本体部１３にボックス連結部材３５を配置する場合には、連結本体部３６と密閉部３７とをケース本体部１３の第２ボックス枠状部９におけるケース本体部１３の外周部１３ａの内面に沿って配置させる。
【００６５】
このときには、連結取付部３９をケース本体部１３の第２取付部３０に対応させる。この状態で、連結取付部３９の上部に上ケース３の第２取付部３０の下端部を挿入させると、上ケース３に対してボックス連結部材３５が位置規制される。このときには、コーナ部４０の外形部４０ａが上ケース３のケース本体部１３における外周部１３ａの角部に密接して配置される。これにより、ケース本体部１３にボックス連結部材３５が配置される。
【００６６】
この状態で、下ケース２の第１ボックス枠状部６上に上ケース３を対応させて重ね合わせる。このときには、上ケース３の第２ボックス枠状部９を下ケース２の第１ボックス枠状部６に対応させる。また、上ケース３のカバー部１５の鍵盤カバー部１５ａを鍵盤部５の左右両側に位置する白鍵５ａおよび黒鍵５ｂの各後端部に対応させ、このカバー部１５の搭載カバー部１５ｂを鍵盤部５の両側部に位置する下ケース２の鍵盤搭載部２ａの両側部に対応させる。
【００６７】
これにより、下ケース２の第１ボックス枠状部６の一部である第１枠状リブ６ｂに、上ケース３の第２ボックス枠状部９の一部であるケース本体部１３の第２枠状リブ１３ｂとボックス増設部１４の増設枠状リブ１４ａとが対応する。このときには、下ケース２の第１枠状リブ６ｂとケース本体部１３の第２枠状リブ１３ｂおよびボックス増設部１４の増設枠状リブ１４ａとの間にパッキン８が挟まれる。
【００６８】
また、このときには、下ケース２の第１ボックス枠状部６の他の一部である上辺側と左右の両側部とに位置する外周部６ａの上端部が、上ケース３内に配置されたボックス連結部材３５の密閉部３７、およびバスレフポート１２のポート取付部２３に設けられたポート当接部２８ａに、パッキン８を介して当接する。また、このときには、下ケース２に設けられた複数の第１取付部３３に、上ケース３に設けられた複数の第２取付部３０、複数の増設ボス部３１、複数のカバーボス部３２がそれぞれ対応する。
【００６９】
この場合、ボックス連結部材３５の連結取付部３９に上ケース３の第２取付部３０が挿入されている。このため、上ケース３の第２取付部３０と下ケース２の第１取付部３３との間に連結取付部３９が挟まれ、この状態で第２取付部３０と第１取付部３３とが対応する。このときには、ボックス連結部材３５の連結押付部３８が、下ケース２の外周部６ａの外面を上ケース３のケース本体部１３における外周部１３ａの内面にパッキン８を介して押し付ける。
【００７０】
また、このときには、ボックス連結部材３５と同様、バスレフポート１２のポート取付部２３に設けられたポート押付リブ２８ｂが、下ケース２の背面に位置する外周部６ａの外面を上ケース３のケース本体部１３の背面に位置する外周部１３ａの内面にパッキン８を介して押し付ける。
【００７１】
この状態で、下ケース２の下側から下ケース２の複数の第１取付部３３内にそれぞれビス３４を挿入し、これらビス３４の各先端を第１取付部３３のビス挿入孔３３ａから、上ケース３に設けられた複数の第２取付部３０、複数の増設ボス部３１、複数のカバーボス部３２の各ねじ穴３０ａ、３１ａ、３２ａに螺合させて締め付ける。
【００７２】
この場合、ボックス連結部材３５の連結取付部３９に対応する下ケース２の第１取付部３３と上ケース３の第２取付部３０とは、ビス３４の各先端が第１取付部３３のビス挿入孔３３ａからボックス連結部材３５の連結取付部３９のビス挿入孔３９ａを通して上ケース３の第２取付部３０に螺合されて締め付けられる。このため、ボックス連結部材３５が下ケース２と上ケース３との間に挟まれた状態で固定される。
【００７３】
このときには、ボックス連結部材３５に対応する下ケース２の外周部６ａの上端部が、ボックス連結部材３５の密閉部３７にパッキン８を押し付けるので、この部分の密閉性が確保される。また、このときには、バスレフポート１２に対応する下ケース２の外周部６ａの上端部が、ポート取付部２３のポート当接部２８ａにパッキン８を押し付けるので、この部分の密閉性も確保される。
【００７４】
さらに、このときには、ボックス連結部材３５のコーナ部４０が、これに対応する上ケース３のケース本体部１３における外周部１３ａの角部と、これに対応する下ケース２の外周部６ａの角部との間に配置され、このコーナ部４０の外形部４０ａがケース本体部１３の外周部１３ａの角部に密接し、コーナ部４０の内形部４０ｂが下ケース２の外周部６ａの角部に密接する。これにより、上ケース３と下ケース２との各角部の密閉性が確保される。
【００７５】
また、このときには、下ケース２の第１ボックス枠状部６と上ケース３の第２ボックス枠状部９とが、パッキン８を挟み付ける。すなわち、下ケース２の第１ボックス枠状部６の一部である第１枠状リブ６ｂに、上ケース３の第２ボックス枠状部９の一部であるケース本体部１３の第２枠状リブ１３ｂとボックス増設部１４の増設枠状リブ１４ａとが、パッキン８を押し付ける。
【００７６】
これにより、下ケース２の第１ボックス枠状部６と、これに対応する上ケース３の第２ボックス枠状部９とによって、密閉されたスピーカボックス部１ａが楽器ケース１内に形成される。このスピーカボックス部１ａは、大容量で高い音圧に十分に耐えられるように構成される。
【００７７】
そして、下ケース２の後部両側に配置された上ケース３のケース本体部１３間にセンタパネル４を配置して取り付ける。これにより、下ケース２の電池収納部７および上ケース３のボックス増設部１４がセンタパネル４で覆われる。このように、下ケース２と上ケース３とが重ね合わされて取り付けられると、これらの内部に密閉されたスピーカボックス部１ａが形成される。これにより、楽器ケース１が組み立てられる。
【００７８】
図１４は、上ケース３の外形がより大きい場合のボックス連結部材３５の変形例を示す。図１４（ａ）は、ボックス連結部材３５の拡大斜視図であり、図１４（ｂ）はそのＦ１−Ｆ１矢視における要部の拡大断面図であり、図１４（ｃ）は、このボックス連結部材３５を用いた上ケースのＥ１−Ｅ１矢視における要部の拡大断面図である。
【００７９】
この場合は、密閉部３７は、下ケース２の外周部の端部と当接する第１面部３７ａに延長部材３７ｃを設け、この延長部材の端面を上ケース３の外周部内面と面する第２面部３７ｂとしている。この場合も、下ケース２の外周部６ａの上端部を密閉部３７の第１面部３７ａにパッキン８を介して当接させ、密閉部３７の第２面部３７ｂが、上ケース３の外周部１３ａの内面に向けて押し付けるように構成される。
【００８０】
このように、この電子鍵盤楽器の楽器ケース１によれば、下ケース２と、この下ケース２の外形よりも大きい外形の上ケース３と、下ケース２と上ケース３とが重ね合わされた際に、それらの内部に形成されるスピーカボックス部１ａと、上ケース３内にスピーカボックス部１ａと対応して配置され、下ケース２の外周部６ａの端部が当接した状態で、下ケース２と上ケース３とを固定するボックス連結部材３５と、を備えていることにより、重なり合う下ケース２と上ケース３との形状が異なっていても、スピーカボックス部１ａを密閉することができると共に、大容量で高い音圧にも耐えられるものを得ることができる。
【００８１】
すなわち、この楽器ケース１では、上ケース３の外形が下ケース２の外形よりも大きく形成されていても、下ケース２の外周部６ａと上ケース３の外周部１３ａとの間にボックス連結部材３５を配置することにより、下ケース２の外周部と上ケース３の外周部内面との間の隙間を密閉させる。そして、この状態でボックス連結部材３５によって下ケース２と上ケース３とを固定することができる。
【００８２】
このため、この楽器ケース１では、重なり合う下ケース２と上ケース３との形状が異なることによって、下ケース２の外周部６ａと上ケース３の外周部１３ａとの間に隙間が生じても、その隙間をボックス連結部材３５で確実にかつ良好に塞ぐことができるので、重なり合う下ケース２と上ケース３との形状が異なっていても、スピーカボックス部１ａを確実にかつ良好に密閉することができる。これにより、大容量で高い音圧にも耐えられるものを得ることができると共に、上ケース３よりも外形の小さい下ケース２を異なる形状の楽器ケース１に兼用することができる。
【００８３】
この場合、ボックス連結部材３５は、上ケース３内に配置される連結本体部３６と、下ケース２の外周部６ａの上端部が当接する密閉部３７と、下ケース２の第１取付部３３と上ケース３の第２取付部３０との間に配置されて両者を連結して固定する連結取付部３９と、を備えていることにより、下ケース２と上ケース３とを確実に固定して、下ケース２の外周部６ａと上ケース３の外周部１３ａとの間に隙間を密閉することができる。
【００８４】
すなわち、このボックス連結部材３５は、上ケース３のケース本体部１３内に配置される際に、連結取付部３９の上部に上ケース３の第２取付部３０の下端部が挿入されることにより、上ケース３に対してボックス連結部材３５を位置規制することができ、上ケース３が下ケース２に重ね合わされた際に、下ケース２の外周部６ａの上端部を密閉部３７に当接させることができ、これにより下ケース２の外周部６ａと上ケース３の外周部１３ａとの間の隙間を密閉することができる。
【００８５】
この場合、ボックス連結部材３５は、下ケース２の外周部６ａの上端部が密閉部３７に当接する際に、下ケース２の外周部６ａの外面を上ケース３の外周部１３ａの内面に押し付ける連結押付部３８を備えていることにより、上ケース３を下ケース２に重ね合わせた際に、連結押付部３８によって下ケース２の外周部６ａの外面を上ケース３の外周部１３ａの内面に確実に押し付けることができ、これによっても下ケース２の外周部６ａと上ケース３の外周部１３ａとの間の隙間を密閉することができる。
【００８６】
また、ボックス連結部材３５は、連結取付部３９が下ケース２の第１取付部３３と上ケース３の第２取付部３０との間に配置された状態で、第１取付部３３、連結取付部３９、第２取付部３０を貫通するねじ部材であるビス３４によって相互に締め付けられていることにより、連結取付部３９を挟んで下ケース２と上ケース３とを確実にかつ強固に固定することができる。これにより、下ケース２の外周部６ａの上端部を密閉部３７に確実に当接させることができると共に、連結押付部３８によって下ケース２の外周部６ａの外面を上ケース３の外周部１３ａの内面に確実に押し付けることができる。
【００８７】
この場合、ボックス連結部材３５は、上ケース３の外周部１３ａの角部と下ケース２の外周部６ａの角部との間に配置されるコーナ部４０を備えていることにより、ボックス連結部材３５が下ケース２の外周部６ａの角部と上ケース３の外周部１３ａの角部との間に配置された際に、外形部４０ａを上ケース３の第２ボックス枠状部９における外周部１３ａの角部に密接させることができ、また内形部４０ｂを下ケース２の第１ボックス枠状部６における外周部６ａの角部に密接させることができ、これにより上ケース３の外周部１３ａの角部と下ケース２の外周部６ａの角部との間を良好に密閉することができる。
【００８８】
また、この楽器ケース１では、スピーカボックス部１ａが、下ケース２の外周部６ａおよび下ケース２内に設けられた第１枠状リブ６ｂによって形成された第１ボックス枠状部６と、上ケース３に設けられた第２枠状リブ１３ｂおよびボックス連結部材３５によって形成された第２ボックス枠状部９とで、囲われているので、上ケース３と下ケース２とを重ね合わせることにより、密閉されたスピーカボックス部１ａを簡単にかつ良好に形成することができる。
【００８９】
この場合、この楽器ケース１では、スピーカボックス部１ａが、第１ボックス枠状部６と第２ボックス枠状部９との間に、これらの全周に亘ってパッキン８が配置されていることにより、下ケース２と上ケース３とを重ね合わせた際に、下ケース２の第１ボックス枠状部６と上ケース３の第２ボックス枠状部９と間にパッキン８を挟み付けることができるので、上ケース３と下ケース２とで囲われるスピーカボックス部１ａを確実にかつ良好に密閉することができる。
【００９０】
すなわち、パッキン８は、下ケース２の第１ボックス枠状部６の全周に亘って設けられていることにより、下ケース２と上ケース３とを重ね合わせた際に、下ケース２の外周部６ａおよびこの下ケース２内の第１枠状リブ６ｂと、上ケース３に設けられた第２枠状リブ１３ｂ、増設枠状リブ１４ａ、およびボックス連結部材３５の密閉部３７との間に、パッキン８を確実にかつ良好に挟むことができるので、スピーカボックス部１ａの密閉性を確保することができる。
【００９１】
この場合、ボックス連結部材３５は、上ケース３が下ケース２に重ね合わされて下ケース２の外周部６ａの上端部が密閉部３７に当接する際に、パッキン８を密閉部３７に押し当てることができると共に、連結押付部３８によって下ケース２の外周部６ａの外面が上ケース３の外周部１３ａの内面に押し付けられる際に、パッキン８を下ケース２の外周部６ａの外面と上ケース３の外周部１３ａの内面との間に挟み付けることができ、これによりボックス連結部材３５における密閉性を更に高めることができる。
【００９２】
また、この楽器ケース１のスピーカボックス部１ａは、上ケース３に階段状に形成されたボックス増設部１４を備えていることにより、スピーカボックスの容積を増大させることができ、これによりスピーカ１０の音響効果を高めることができると共に、このボックス増設部１４が階段状に形成されていることにより、ボックス増設部１４を上ケース３に一体に形成しても、その強度を確保することができるので、これによっても音極効果を高めることができる。
【００９３】
また、この楽器ケース１では、下ケース２の外周部６ａおよびこの下ケース２内に設けられた第１枠状リブ６ｂと、上ケース３の外周部１３ａおよびこの上ケース３に設けられた第２枠状リブ１３ｂ、増設枠状リブ１４ａ、およびボックス連結部材３５の密閉部３７とによって、スピーカボックス部１ａが形成され、このスピーカボックス部１ａ内における上ケース３の内面にスピーカ１０、ツイータ１１、およびバスレフポート１２が取り付けられていることにより、スピーカ１０、ツイータ１１、およびバスレフポート１２による音響効果を高めることができる。
【００９４】
この場合、バスレフポート１２は、スピーカボックスに対応する上ケース３内における背面に、その背面に設けられたポート開口部１８に対応して取り付けられていることにより、上ケース３の背面にポート開口部１８に対応して取り付けられたバスレフポート１２によっても、音極効果を高めることができる。
【００９５】
すなわち、このバスレフポート１２は、上ケース３内の背面にポート開口部１８に対応して取り付けられるポート取付部２３と、このポート取付部２３に一体に形成されてポート開口部１８から上ケース３の外部に開放された筒状のポート部２４とを備えていることにより、筒状のポート部２４によって音極効果を良好に高めることができる。
【００９６】
また、バスレフポート１２は、上ケース３内の背面とこれに対応するポート取付部２３との間にポート緩衝部材２５が、ポート開口部１８に対応する箇所を除いて、設けられていることにより、ポート緩衝部材２５がポート開口部１８を塞ぐことがなく、ポート緩衝部材２５によってポート取付部２３を上ケース３内の背面に密閉性を保って確実にかつ良好に取り付けることができる。
【００９７】
また、このバスレフポート１２のポート取付部２３は、下ケース２に対応するポート取付部２３の下端部にポート連結部２８が形成されていることにより、ボックス連結部材３５と同様、重なり合う下ケース２と上ケース３との形状が異なっていても、密閉性を確保することができる。
【００９８】
すなわち、このバスレフポート１２のポート取付部２３は、上ケース３の外形が下ケース２の外形よりも大きく形成されていても、下ケース２の外周部６ａの端部をポート連結部２８に当接させることができると共に、このポート連結部２８によって下ケース２の外周部６ａの外面を上ケース３の外周部１３ａの内面に押し付けることができる。
【００９９】
このため、このバスレフポート１２のポート取付部２３では、重なり合う下ケース２と上ケース３との形状が異なることによって、バスレフポート１２に対応する下ケース２の外周部６ａの外面と上ケース３の外周部１３ａの内面との間に隙間が生じても、その隙間をポート連結部２８で確実にかつ良好に塞ぐことができるので、重なり合う下ケース２と上ケース３との形状が異なっていても、スピーカボックス部１ａの密閉性を確保することができる。
【０１００】
また、このバスレフポート１２のポート取付部２３では、ポート当接部２８ａにポート押付リブ２８ｂが設けられていることにより、上ケース３が下ケース２に重ね合わされて、下ケース２の外周部６ａの上端部がポート取付部２３に当接する際に、ポート押付リブ２８ｂによって下ケース２の外周部６ａの外面を上ケース３の外周部１３ａの内面に押し付けることができ、これによっても下ケース２の外周部６ａと上ケース３の外周部１３ａとの間に隙間を密閉することができる。
【０１０１】
この場合にも、スピーカボックス部１ａは、第１ボックス枠状部６と第２ボックス枠状部９との間に、これらの全周に亘ってパッキン８が配置されていることにより、上ケース３が下ケース２に重ね合わされて下ケース２の外周部６ａの上端部がバスレフポート１２のポート取付部２３のポート当接部２８ａに当接する際に、パッキン８をポート当接部２８ａに押し当てることができる。
【０１０２】
また、このバスレフポート１２では、ポート当接部２８ａにポート押付リブ２８ｂが設けられていることにより、上ケース３が下ケース２に重ね合わされてポート押付リブ２８ｂによって下ケース２の外周部６ａの外面が上ケース３の外周部１３ａの内面に押し付けられる際に、パッキン８を下ケース２の外周部６ａの外面と上ケース３の外周部１３ａの内面との間に挟み付けることができ、これによっても、ポート連結部２８における密閉性を更に高めることができる。
【０１０３】
なお、上述した実施形態では、スピーカボックス部１ａにおける上ケース３の背面にバスレフポート１２を設けた場合について述べたが、この発明は、必ずしもバスレフポート１２を備えている必要はない。この場合には、上ケース３の背面における下ケース２の外周部６ａと上ケース３の外周部１３ａとの間に、ボックス連結部材３５を設ければ良い。
【０１０４】
また、上述した実施形態では、電子鍵盤楽器に適用した場合について述べたが、必ずしも電子鍵盤楽器である必要はなく、例えば電子弦楽器などの電子楽器にも適用することができるほか、必ずしも電子楽器である必要はなく、スピーカを備えた音極機器などに広く適用することができる。
【０１０５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１０６】
（付記）
請求項１に記載の発明は、第１取付部が設けられた下ケースと、前記第１取付部と対応した位置に第２取付部が設けられた上ケースと、前記上ケース内に配置され、前記下ケースの外周部と前記上ケースの外周部内面との間の隙間を密閉する密閉部と、前記第１取付部と第２取付部との間に配置された取付部とを有する連結部材と、前記第１取付部、前記取付部及び前記第２取付部を相互に固定する固定部材と、を備えた機器ケースである。
【０１０７】
請求項２に記載の発明は、請求項１に記載の機器ケースにおいて、前記密閉部は、前記下ケースの外周部の端部と面する第１面部、及び前記上ケースの外周部内面と面する第２面部を有する、機器ケースである。
【０１０８】
請求項３に記載の発明は、請求項１または請求項２に記載の機器ケースにおいて、前記連結部材は、前記第１のケースの前記外周部の端部と前記密閉部の第１面部とが面する際に、前記第１のケースの前記外周部の外面を前記第２のケースの前記外周部の内面に押し付ける連結押付部をさらに有する機器ケースである。
【０１０９】
請求項４に記載の発明は、請求項２または請求項３に記載の機器ケースにおいて、前記固定部材は、前記取付部が前記下ケースの前記第１取付部と前記上ケースの前記第２取付部との間に配置された状態で、前記第１取付部、前記取付部、前記第２取付部を貫通して相互に締め付けるねじ部材を有する、機器ケースである。
【０１１０】
請求項５に記載の発明は、請求項１〜請求項４のいずれかに記載の機器ケースにおいて、前記下ケースの外周部の端部および前記下ケース内に設けられた第１枠状リブによって形成された第１ボックス枠状部と、前記上ケースに設けられた第２枠状リブおよび前記連結部材によって形成された第２ボックス枠状部と、をさらに有する機器ケースである。
【０１１１】
請求項６に記載の発明は、請求項５に記載の機器ケースにおいて、前記第１ボックス枠状部と前記第２ボックス枠状部との間に、これらの全周に亘ってパッキンが配置されている機器ケースである。
【０１１２】
請求項７に記載の発明は、請求項１〜請求項６のいずれかに記載の機器ケースにおいて、前記第２ボックス枠状部は、前記上ケースに階段状に形成されたボックス増設部を備えている機器ケースである。
【０１１３】
請求項８に記載の発明は、請求項１〜請求項７のいずれかに記載の機器ケースにおいて、前記第１ボックス枠状部と前記第２ボックス枠状部とで囲われた内部に、スピーカ、ツイータ及びバスレフポートが設けられている機器ケースである。
【０１１４】
請求項９に記載の発明は、請求項８に記載の機器ケースにおいて、前記バスレフポートは、前記上ケース内における背面に、その背面に設けられた開口部に対応して取り付けられるポート取付部と、このポート取付部に一体に形成されて前記開口部から前記上ケースの外部に開放された筒状のポート部と、を備えている機器ケースである。
【０１１５】
請求項１０に記載の発明は、請求項９に記載の機器ケースにおいて、前記バスレフポートは、前記上ケース内の背面とこれに対応する前記ポート取付部との間に緩衝部材が、前記開口部に対応する箇所を除いて設けられている機器ケースである。
【０１１６】
請求項１１に記載の発明は、請求項９および請求項１０に記載の機器ケースにおいて、前記下ケースに対応する前記ポート取付部の端部には、前記下ケースと前記上ケースとが重なり合う際に、前記上ケースの前記外周部の端部が当接するポート連結部が設けられている機器ケースである。
【０１１７】
請求項１２に記載の発明は、請求項１〜請求項１１のいずれかに記載された機器ケースを備えている電子楽器である。
【０１１８】
請求項１３に記載の発明は、第１取付部が設けられた下ケースと、前記第１取付部と対応した位置に第２取付部が設けられた上ケースと、を有する機器ケースに用いられる連結部材であって、前記上ケース内に配置され、前記下ケースの外周部と前記上ケースの外周部内面との間の隙間を密閉する密閉部と、前記第１取付部と第２取付部との間に配置され、固定部材によって前記第１取付部及び前記第２取付部とともに相互に固定される取付部と、を備える連結部材である。
【符号の説明】
【０１１９】
１  楽器ケース
１ａ  スピーカボックス部
２  下ケース
３  上ケース
４  センタパネル
５  鍵盤部
６  第１ボックス枠状部
６ａ  外周部
６ｂ  第１枠状リブ
８  パッキン
９  第２ボックス枠状部
１０  スピーカ
１１  ツイータ
１２  バスレフポート
１３  ケース本体部
１３ａ  外周部
１３ｂ  第２枠状リブ
１４  ボックス増設部
１４ａ  増設枠状リブ
１５  カバー部
１６  スピーカ開口部
１７  ツイータ開口部
１８  ポート開口部
２３  ポート取付部
２４  ポート部
２５  ポート緩衝部材
２６  ポート固定片
２８  ポート連結部
２８ａ  ポート当接部
２８ｂ  ポート押付リブ
３０  第２取付部
３０ａ  ねじ穴
３１  増設ボス部
３２  カバーボス部
３３  第１取付部
３４  ビス
３５  ボックス連結部材
３６  連結本体部
３７  密閉部
３８  連結押付部
３９  連結取付部
４０  コーナ部
【図１】
0006667136.tif 000002
【図２】
0006667136.tif 000003
【図３】
0006667136.tif 000004
【図４】
0006667136.tif 000005
【図５】
0006667136.tif 000006
【図６】
0006667136.tif 000007
【図７】
0006667136.tif 000008
【図８】
0006667136.tif 000009
【図９】
0006667136.tif 000010
【図１０】
0006667136.tif 000011
【図１１】
0006667136.tif 000012
【図１２】
0006667136.tif 000013
【図１３】
0006667136.tif 000014
【図１４】
0006667136.tif 000015